(57)【要約】【課題】  放送信号を表示中に非同期イベント(メール、アラーム、音声等)の無線信号を受信した場合であっても、放送内容を見逃すことなく、無線信号に対応できる携帯電話端末装置を提供することを目的とする。【解決手段】  放送信号を受信するチューナ４と無線信号を受信する無線部２を備えた携帯電話端末装置において、入力部としてタッチパネルが設けられた入力側表示部９を設け、出力側表示部８で放送信号の情報の表示中にメールを着信した場合に、制御部１１は、入力側表示部９に画面を分割してメールの文字データ、画像データ等の信号の情報を入力画面とともに出力して出力側表示部８に表示し、放送信号の情報を表示しながら、入力側表示部９で着信又は返信のメールの情報を表示し、返信メールが入力されると、無線部２を介して送信する。【選択図】        図１
2008072574.tif 000002
【特許請求の範囲】
【請求項１】
受信した放送信号を出力する放送信号出力手段と、
受信した無線信号を出力する無線信号出力手段と、
前記無線信号の出力を制御する制御手段と、
前記放送信号出力手段からの前記放送信号又は前記無線信号出力手段からの前記無線信号の情報を表示する第一の表示手段と、
前記放送信号出力手段からの前記放送信号の情報を前記第一の表示手段で表示している間に前記無線信号出力手段が前記無線信号を受信した場合は、前記制御手段により制御された前記無線信号の情報を表示する前記第二の表示手段を備えた携帯電話端末装置。
【請求項２】
制御手段が、第二の表示手段に、入力画面に加えて無線信号出力手段からの無線信号の情報を表示するように制御することを特徴とする請求項１に記載の携帯電話端末装置。
【請求項３】
制御手段が、入力画面と無線信号出力手段からの無線信号の情報を第二の表示手段に画面を分割して表示するように制御することを特徴とする請求項２に記載の携帯電話端末装置。
【請求項４】
制御手段が、入力画面と無線信号出力手段からの無線信号の情報を第二の表示手段に重ねて表示するように制御することを特徴とする請求項２に記載の携帯電話端末装置。
【発明の詳細な説明】
【技術分野】
【０００１】
本発明は、携帯電話端末装置に関し、特に放送信号の情報の表示中に無線信号の情報の表示を制御する技術に関するものである。
【背景技術】
【０００２】
携帯電話端末装置においては、多機能化が進み、通話機能以外に、例えば、電子メール、ゲーム、カメラや、インターネット接続等の様々な機能が利用できるようになっている。更には、テレビ等の放送受信機能も備えられるようになり、使用態様も多様化しつつある。
【０００３】
これまでにテレビ放送受信機能付き携帯電話でテレビ放送受信中にメールが着信した場合、着信情報を外部に通知する方法（例えば、特許文献１参照）や、テレビ画面表示を分割してテレビとメール画面に切り替える方法（例えば、特許文献２参照）が存在した。
【０００４】
【特許文献１】特開２００５−３２８１６７号公報（００１０〜００３１段、図７）
【特許文献２】特開２００５−１３０１３２号公報（００１７〜００５５段、図７）
【発明の開示】
【発明が解決しようとする課題】
【０００５】
しかしながら、上記従来の携帯電話端末装置ではテレビ放送受信中に、突発的に発生するメールの着信をユーザに知らせるだけで、ユーザが携帯電話でメールの操作をすることができないという問題があった。また、携帯電話の小さい表示画面にメール画面も表示すると、映し出している映像を更に小さくしてしまうため、テレビ画面もメール画面も小さすぎて見えなくなってしまうという問題があった。また、テレビ画面を一時的に非表示とした場合には、非表示の間、ユーザがテレビ放送内容を見逃すという問題があった。
【０００６】
本発明は、上記のような問題を解決するためになされたものであり、放送信号を表示中に非同期イベント（メール、アラーム、音声等）の無線信号を受信した場合であっても、放送内容を見逃すことなく、無線信号に対応できる携帯電話端末装置を提供することを目的とする。
【課題を解決するための手段】
【０００７】
本発明に係る携帯電話端末装置は、受信した放送信号を出力する放送信号出力手段と、受信した無線信号を出力する無線信号出力手段と、無線信号の出力を制御する制御手段と、放送信号出力手段からの放送信号又は無線信号出力手段からの無線信号の情報を表示する第一の表示手段と、放送信号出力手段からの放送信号の情報を第一の表示手段で表示している間に無線信号出力手段が無線信号を受信した場合は、制御手段により制御された無線信号の情報を表示する第二の表示手段を備えたものである。
【発明の効果】
【０００８】
本発明によれば、携帯電話端末装置に、放送信号や無線信号を出力する表示手段とは別に、表示手段を設け、放送信号の情報の表示中に非同期イベント（メール、アラーム、音声等）の無線信号を受信した場合であっても、放送信号の情報を表示している表示手段とは別の表示手段で無線信号の情報を表示することにより、放送信号の情報を表示する画面のサイズを変更することなく、放送信号の情報の表示を見ながら、無線信号の情報の表示を確認し、無線信号に対して応答操作を行うことができる。
【発明を実施するための最良の形態】
【０００９】
以下、本発明に係る携帯電話端末装置の各種実施の形態について、図面に基づいて説明する。
実施の形態１．
図１は、本実施の形態１における携帯電話端末装置１００の構成を示すブロック図である。図１において、携帯電話端末装置１００は、無線用アンテナ１、放送受信用アンテナ２、無線信号出力手段としての無線部３、放送信号出力手段としてのチューナ４、信号処理部５、マイク６、スピーカ７、第一の表示手段としての出力側表示部８、第二の表示手段としての入力側表示部９、記憶部１０、制御手段としての制御部１１から構成されている。
【００１０】
無線部３は、無線用アンテナ１を介して、基地局から送信された音声、文字データ、画像データ等の信号を受信し、復調処理して、信号処理部５及び制御部１１に出力する。
【００１１】
チューナ４は、入力側表示部９での入力により制御部１１から指示された放送信号を、放送受信用アンテナ２を介して受信し、制御部１１に出力する。
【００１２】
信号処理部５は、無線用アンテナ１を介して無線部３から受信した音声信号や、文字データ、画像データ等の着信を知らせるための信号を、制御部１１を介してスピーカ７に出力するための処理を行う。また、信号処理部５は、マイク６から入力された音声信号や、入力側表示部９等で入力されたメール等の文字データ、画像データの信号を無線部３から無線用アンテナ１を介して送信するための処理を行う。
【００１３】
マイク６は、入力された音声を音声信号として信号処理部５へ出力する。スピーカ７は、制御部１１を介して、信号処理部５及びチューナ４から入力された音声信号を音声として出力する。
【００１４】
出力側表示部８は、制御部１１を介して、信号処理部５から入力された文字データ、画像データ等、及びチューナ４から入力された映像データを表示する。
【００１５】
入力側表示部９は、入力部としてのタッチパネルが設けられた液晶表示部であり、表示される数字・文字キー及び選択キー等の入力画面から入力操作することにより、対応する各種指示情報を制御部１１へ出力する。また、入力側表示部９は、出力側表示部８が放送信号を表示中にメールを着信した場合に、制御部１１を介して入力操作で指示されると、メールの文字データ、画像データ等を入力画面とともに表示する。
【００１６】
記憶部１０は、入力側表示部９の分割比率を記憶している。分割比率は、制御部１１を介して、入力操作で任意の値に予め設定される。また、記憶部１０は、無線信号を送受信する相手方の名前、メールアドレス等のリストを記憶しており、メールの着信時及び返信時に対応付けられる。
【００１７】
制御部１１は、無線部３及びチューナ４からの受信信号が、直接又は信号処理部５を介して入力され信号の種類を識別して、入力側表示部９からの入力指示によりマイク６、スピーカ７、出力側表示部８に出力し、出力側表示部８で放送信号の情報を表示中にメールを着信した場合には、入力側表示部９に画面を分割してメールの文字データ、画像データ等を入力画面とともに表示出力する。また、制御部１１は、メールの着信時及び返信時に、記憶部１０によりリストから相手方の名前、メールアドレス等を対応付ける。
【００１８】
次に、図２のフローチャートに従い、本実施の形態１における携帯電話端末装置１００の動作について説明する。まず、携帯電話端末装置１００は、無線部３が無線用アンテナ１を介してメールを着信すると、制御部１１によりスピーカ７からの音声等により通知する（ステップ１）。
【００１９】
制御部１１は、入力側表示部９を介して、着信メールの画面を表示する指示を受け取ると（ステップ２）、出力側表示部８で放送信号の情報を表示中か否かを判定する（ステップ３）。放送信号の情報が表示されていない場合、制御部１１は、着信メールの文字データ、画像データ等を出力側表示部８へ出力する（ステップ４）。
【００２０】
出力側表示部８で放送信号の情報を表示中の場合、制御部１１は、予め設定してある分割比率で、着信メールの文字データ、画像データ等の信号と入力画面表示の信号を、入力側表示部９へ出力し、入力側表示部９は画面を分割して表示する（ステップ５）。
【００２１】
図３及び図４は、本実施の形態１における携帯電話端末装置１００の正面図である。図３は、出力側表示部８で放送信号の情報を表示している表示例を示し、図４は、出力側表示部８で放送信号の情報を表示中に、着信メールを入力側表示部９の画面を分割して表示している表示例を示す。
【００２２】
次に、制御部１１は、入力側表示部９からの指示により、着信メールに返信するか否かを判定する（ステップ６）。制御部１１は、返信メールを入力する指示を受け取ると（ステップ７）、着信メールを表示していた画面の替わりに、返信メールを入力する画面の表示信号を入力側表示部９へ出力し、入力側表示部９は入力画面とともに返信メールを入力する画面を表示する（ステップ８）。
【００２３】
入力側表示部９の入力画面から返信メールが入力され（ステップ９）、制御部１１は、返信メールを送信する指示を受け取ると、無線用アンテナ１を介して、無線部３より返信メールの文字データ、画像データ等の信号を送信する（ステップ１０）。制御部１１は、返信メールの送信が完了すると、入力側表示部９への返信メールを入力する画面を分割表示する信号の出力を終了し、入力画面のみを表示する信号の出力に切り替える。入力側表示部９は、全画面に入力画面のみを表示し（ステップ１１）、メール着信前の状態に戻る。
【００２４】
一方、制御部１１が、メールの返信をせずにメール画面の表示を終了する指示を受け取った場合には（ステップ１２）、返信メールを入力する画面を表示する信号を出力せずに、着信メールの画面を分割表示する信号の出力を終了して入力画面のみを表示する信号の出力に切り替える。この場合も、入力側表示部９は、全画面に入力画面のみを表示し（ステップ１１）、メール着信前の状態に戻る。
【００２５】
以上のように、本実施の形態１では、入力部としてタッチパネルが設けられた入力側表示部９を設け、出力側表示部８で放送信号の情報の表示中にメールを着信した場合に、メールの着信信号の情報と入力画面とを出力側表示部８に分割して表示するようにしたので、放送信号の情報を表示している画面のサイズを変更することなく、放送信号の情報の表示を見ながら、着信メールの内容を確認し、返信メールを作成して送信することができる。
【００２６】
なお、本実施の形態１では、出力側表示部８の分割比率が５０：５０の場合を示したが、これに限るものではなく、任意の分割比率で設定できるようにしてもよい。また、出力側表示部８を上下に分割したが、これに限るものではなく、例えば、左右に分割してもよい。
【００２７】
実施の形態２．
実施の形態１の携帯電話端末装置１００においては、入力側表示部９を分割して入力画面とメールの確認画面を表示する場合について示した。実施の形態２では、入力側表示部９の入力画面に重ねてメールの確認画面を表示する場合について示す。
【００２８】
図５は、本実施の形態２における携帯電話端末装置１０１の構成を示すブロック図であり、図６は、携帯電話端末装置１０１の入力側表示部１２の分解斜視図である。図６において、液晶表示パネル１２ａとバックライト１２ｂの間に、入力画面記載パネル１２ｃが挟まれている。その他の構成に関しては、実施の形態１と同様であり、相当部分には図１と同一符号を付して説明を省略する。
【００２９】
入力画面記載パネル１２ｃは、入力画面の表示文字と罫線を記載したパネルであり、パックライト１２ｂの光により、液晶表示パネル１２ａを透過して、記載された表示文字と罫線が視認される。
【００３０】
液晶表示パネル１２ａは、入力画面としてのみ用いられる場合には、入力画面記載パネル１２ｃに記載された入力画面の表示文字と罫線を同様に表示する。液晶表示パネル１２ａは、出力側表示部８で放送信号の情報の表示中にメールを着信した場合には、制御部１１により、入力画面の表示から、着信メールの文字データ、画像データ等の表示に切り替わる。この場合、入力側表示部１２では、液晶表示パネル１２ａの着信メールの表示に重なって、入力画面記載パネル１２ｃの入力画面の表示文字と罫線が視認される。
【００３１】
バックライト１２ｂは、発光により光を入力画面記載パネル１２ｃ及び液晶表示パネル１２ａに透過させ、文字と罫線、及び着信メールの表示を視認できるようにする。
【００３２】
動作に関しては、実施の形態１での図２のフローチャートと同様であり、説明を省略する。図７は、本実施の形態２における携帯電話端末装置１０１の正面図であり、出力側表示部８で放送信号の情報を表示中に、入力側表示部１２で着信メールを入力画面に重ねて表示している表示例を示す。
【００３３】
以上のように、本実施の形態２では、液晶表示パネル１２ａとバックライト１２ｂの間に入力画面記載パネル１２ｃを設け、出力側表示部８で放送信号の情報の表示中にメールを着信した場合に、メールの確認画面を入力画面と重ねて入力側表示部１２に表示するようにしたので、放送信号の情報を表示する画面のサイズのみならず入力画面のサイズを変更することなく、放送信号の情報の表示を見ながら、着信メールの内容を確認し、容易に返信メールを作成して送信することができる。また、メールの着信及び返信の表示画面サイズも大きく取ることができ、内容を確認しやすくなる。
【００３４】
実施の形態３．
実施の形態２の携帯電話端末装置１０１においては、入力側表示部１２に入力画面記載パネル１２ｃを設け、入力画面とメールの確認画面とを重ねて表示する場合について示した。実施の形態３では、入力画面記載パネル１２ｃを設けずに、入力側表示部に入力画面とメールの確認画面とを重ねて表示する場合について示す。
【００３５】
図８は、本実施の形態３における携帯電話端末装置１０２の構成を示すブロック図である。制御部１３は、無線部３及びチューナ４からの受信信号が、直接又は信号処理部５を介して入力され信号の種類を識別して、入力側表示部９からの入力指示によりマイク６、スピーカ７、出力側表示部８に出力し、出力側表示部８で放送信号の情報の表示中にメールを着信した場合には、メールの文字データ、画像データ等と入力画面の罫線を重ねて入力側表示部９に表示する信号を出力する。
【００３６】
また、制御部１１は、メールの着信時及び返信時に、記憶部１０により送受信する相手方の名前、メールアドレス等のリストと無線信号とを対応付ける。その他の構成に関しては、実施の形態１と同様であり、相当部分には図１と同一符号を付して説明を省略する。
【００３７】
動作に関しては、実施の形態１での図２のフローチャートと同様であり、説明を省略する。図９は、本実施の形態３における携帯電話端末装置１０２の正面図であり、図１０は、携帯電話端末装置１０２の入力側表示部９の分解斜視図である。図１０（ａ）は、通常使用時の入力側表示部９の表示状態を示し、図１０（ｂ）は、出力側表示部８で放送信号の情報を表示中に、メールの着信及び返信を確認する画面の表示状態を示す。
【００３８】
以上のように、本実施の形態３では、出力側表示部８で放送信号の情報の表示中にメールを着信した場合に、メールの確認画面と入力画面の罫線を重ねて入力側表示部９に表示するようにしたので、放送信号の情報を表示する画面のサイズ、入力画面のサイズ、及びメールの着信及び返信の表示画面サイズも縮小変更することなく、放送信号の情報の表示を見ながら、着信メールの内容を確認し、容易に返信メールを作成して返信することができ、またメールの着信及び返信の確認画面も見やすくなる。
【００３９】
なお、本実施の形態３では、出力側表示部８で放送信号の情報の表示中にメールを着信した場合に、メールの確認画面と入力画面の罫線のみを重ねて入力側表示部９に表示するようにしたが、入力画面の表示文字も同時に表示してもよい。この場合、より入力操作が容易になる。
【００４０】
また、図１１に示すように、入力側表示部９周囲の筐体１４の表面に罫線の位置を示す目印（例えば、▼印）を表示しておけば（図１１（ａ））、入力側表示部９に入力画面を表示しなくても入力機能のみを重ねることにより、出力側表示部８で放送信号の情報の表示中にメールを着信した場合に、メール画面のみを表示しても入力部の位置を把握でき（図１１（ｂ））、容易に入力操作できる。この場合、入力画面が重ならないため、メール画面を確認しやすくなる。
【図面の簡単な説明】
【００４１】
【図１】本発明に係る携帯電話端末装置の実施の形態１の構成を示すブロック図である。
【図２】本発明に係る携帯電話端末装置の実施の形態の動作手順を示すフローチャート図である。
【図３】本発明に係る携帯電話端末装置の実施の形態の通常使用時の表示例を示す正面図である。
【図４】本発明に係る携帯電話端末装置の実施の形態１の放送信号を表示中にメールを着信した場合の表示例を示す正面図である。
【図５】本発明に係る携帯電話端末装置の実施の形態２の構成を示すブロック図である。
【図６】本発明に係る携帯電話端末装置の実施の形態２の構成を示す斜視図である。
【図７】本発明に係る携帯電話端末装置の実施の形態２の放送信号を表示中にメールを着信した場合の表示例を示す正面図である。
【図８】本発明に係る携帯電話端末装置の実施の形態３の構成を示すブロック図である。
【図９】本発明に係る携帯電話端末装置の実施の形態３の放送信号を表示中にメールを着信した場合の表示例を示す正面図である。
【図１０】本発明に係る携帯電話端末装置の実施の形態３の動作例を示す斜視図である。
【図１１】本発明に係る携帯電話端末装置の実施の形態３の他の構成を示す正面図である。
【符号の説明】
【００４２】
３  無線部
４  チューナ
８  出力側表示部
９、１２  入力側表示部
１１、１３  制御部
【図１】
2008072574.tif 000003
【図２】
2008072574.tif 000004
【図３】
2008072574.tif 000005
【図４】
2008072574.tif 000006
【図５】
2008072574.tif 000007
【図６】
2008072574.tif 000008
【図７】
2008072574.tif 000009
【図８】
2008072574.tif 000010
【図９】
2008072574.tif 000011
【図１０】
2008072574.tif 000012
【図１１】
2008072574.tif 000013